(57)【要約】【課題】撮影した画像の中から気に入った構図の画像を容易に抜き出して撮影することができる撮像装置を提供する。【解決手段】本発明に係わる撮像装置は、光学部材、撮像部、記憶手段、表示部、操作入力手段を備えるとともに、撮像部で撮像された撮影画像と、大きさと位置が可変なフレーム枠とを同時に表示部に表示させ、操作入力手段で取得した操作入力に従って、前記フレーム枠の大きさと位置を調節し、この調節されたフレーム枠の大きさと位置に対応する撮影画像の一部を選択画像として記憶手段に記憶し、撮像部で撮像されたスルー画像と、記憶手段に記憶されている選択画像を表示画面と同じサイズに拡大した画像とを同時に表示部に表示させる表示制御手段を備えることを特徴とする。【選択図】図１
2010093413.tif 000002
【特許請求の範囲】
【請求項１】
入射した被写体光を屈折させて射出側に被写体像を形成する光学部材と、
前記光学部材の少なくとも一部を当該光学部材の光軸方向に移動させることで焦点距離を可変とする焦点距離可変手段と、
前記光学部材により形成された被写体像を撮像する撮像部と、
前記撮像部で撮像された被写体像の画像を記憶する記憶手段と、
前記撮像部で撮像された被写体像の画像を表示画面に表示する表示部と、
ユーザによる操作入力を取得する操作入力手段と、
前記撮像部で撮像された被写体像の静止画像（以下、撮影画像）と、大きさと位置が可変なフレーム枠とを同時に前記表示部の表示画面に表示させる第１表示制御手段と、
前記操作入力手段で取得した操作入力に従って、前記フレーム枠の大きさと位置を調節する第２表示制御手段と、
前記第２表示制御手段により調節されたフレーム枠の大きさと位置に対応する撮影画像の一部を選択画像として前記記憶手段に記憶する第３表示制御手段と、
前記撮像部で撮像された被写体像の動画像（以下、スルー画像）と、前記記憶手段に記憶されている選択画像を表示画面と同じサイズに拡大した画像とを同時に前記表示部の表示画面に表示させる第４表示制御手段と、
を備えることを特徴とする撮像装置。
【請求項２】
請求項１に記載の撮像装置であって、
前記第４表示制御手段は、前記操作入力手段で取得した操作入力に従って、前記表示部の表示画面にスルー画像と同時に表示している選択画像を消去すること、
を特徴とする撮像装置。
【請求項３】
請求項１又は２に記載の撮像装置であって、
前記第２表示制御手段は、前記光学部材の焦点距離に基づいて、前記表示部の表示画面に表示するフレーム枠の大きさを制限すること、
を特徴とする撮像装置。
【請求項４】
請求項３に記載の撮像装置であって、
前記第２表示制御手段は、前記光学部材の焦点距離に基づいて、前記表示部の表示画面に表示するフレーム枠の近傍に前記光学部材の焦点距離に関する情報を表示すること、
を特徴とする撮像装置。
【請求項５】
請求項１〜４のいずれか一項に記載の撮像装置であって、
前記第４表示制御手段は、前記表示部の表示画面に同時に表示するスルー画像と選択画像の少なくとも一方の彩度を基準となる彩度よりも低下させること、
を特徴とする撮像装置。
【発明の詳細な説明】
【技術分野】
【０００１】
本発明は、デジタルカメラなどの撮像装置に関するものである。
【背景技術】
【０００２】
近年、デジタルカメラにおいては、カメラの背面に液晶モニタを備えたものが主流となっている。このような液晶モニタを備えたカメラでは、ユーザは液晶モニタに表示された画像を見ながら構図や画角を調整することにより、ファインダを覗くことなしに所望の画像を撮影することができる。
【０００３】
上述のような液晶モニタを備えたカメラにおいて、ユーザによる構図決定を容易するために、広角側で撮影した画像と現在の撮影領域を示す画像とを重ね合わせ、この合成画像を液晶モニタに表示することにより、ユーザが被写体のどこを、どのくらいの大きさで撮影しようとしているのかを視覚的に把握できるようにした撮像装置が提案されている（例えば、特許文献１参照）。
【特許文献１】特開２００７−１０４１９８号公報
【発明の開示】
【発明が解決しようとする課題】
【０００４】
上記従来装置において、撮影した画像の中から気に入った構図の画像を抜き出して撮影するには、ユーザが画角などを調整しながら所望の画像となるように操作する必要がある。このとき、ユーザは液晶モニタ上に表示された撮影済みの画像を見ながら何度も構図を確認することになるため、撮影時に手間と時間がかかることになる。
【０００５】
本発明の課題は、撮影した画像の中から気に入った構図の画像を容易に抜き出して撮影することができる撮像装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、入射した被写体光を屈折させて射出側に被写体像を形成する光学部材（２１０）と、前記光学部材の少なくとも一部を当該光学部材の光軸方向に移動させることで焦点距離を可変とする焦点距離可変手段（２３）と、前記光学部材により形成された被写体像を撮像する撮像部（１１０）と、前記撮像部で撮像された被写体像の画像を記憶する記憶手段（１２０）と、前記撮像部で撮像された被写体像の画像を表示画面に表示する表示部（１０５）と、ユーザによる操作入力を取得する操作入力手段（１３０）と、前記撮像部で撮像された被写体像の静止画像（以下、撮影画像）と、大きさと位置が可変なフレーム枠とを同時に表示させる第１表示制御手段（１００）と、前記操作入力手段で取得した操作入力に従って、前記フレーム枠の大きさと位置を調節する第２表示制御手段（１００）と、前記第２表示制御手段により調節されたフレーム枠の大きさと位置に対応する撮影画像の一部を選択画像として前記記憶手段に記憶する第３表示制御手段（１００）と、前記撮像部で撮像された被写体像の動画像（以下、スルー画像）と、前記記憶手段に記憶されている選択画像を表示画面と同じサイズに拡大した画像とを同時に前記表示部の表示画面に表示させる第４表示制御手段（１００）とを備えることを特徴とする撮像装置である。
請求項２に記載の発明は、請求項１に記載の撮像装置であって、前記第４表示制御手段（１００）は、前記操作入力手段（１３０）で取得した操作入力に従って、前記表示部（１０５）の表示画面にスルー画像と同時に表示している選択画像を消去することを特徴とする。
請求項３に記載の発明は、請求項１又は２に記載の撮像装置であって、前記第２表示制御手段（１００）は、前記光学部材（２１０）の焦点距離に基づいて、前記表示部（１０５）の表示画面に表示するフレーム枠の大きさを制限することを特徴とする。
請求項４に記載の発明は、請求項３に記載の撮像装置であって、前記第２表示制御手段（１００）は、前記光学部材（２１０）の焦点距離に基づいて、前記表示部（１０５）の表示画面に表示するフレーム枠の近傍に前記光学部材の焦点距離に関する情報を表示することを特徴とする。
請求項５に記載の発明は、請求項１〜４のいずれか一項に記載の撮像装置であって、前記第４表示制御手段（１００）は、前記表示部（１０５）の表示画面に同時に表示するスルー画像と選択画像の少なくとも一方の彩度を基準となる彩度よりも低下させることを特徴とする。
なお、符号を付して説明した構成は、適宜改良してもよく、また、少なくとも一部を他の構成物に代替してもよい。
【発明の効果】
【０００７】
本発明によれば、撮影した画像の中から気に入った構図の画像を容易に抜き出して撮影することができる撮像装置を提供することができる。
【発明を実施するための最良の形態】
【０００８】
以下、図面を参照して、本発明に係わる撮像装置をカメラに適用した場合の実施形態について説明する。
図１は、本実施形態に係わるカメラの構成を示すブロック図である。本実施形態のカメラ１は、大別すると、カメラボディ（本体）１０と、レンズ内モータを有するレンズ鏡筒２０とを備えており、カメラボディ１０にレンズ鏡筒２０が着脱自在に装着されるレンズ交換式のデジタルカメラとして構成されている。
【０００９】
まず、カメラボディ１０の構成について説明する。カメラボディ１０の内部には、ボディＣＰＵ１００、測光部１０１、焦点検出部１０２、シャッタユニット１０３、液晶モニタ１０５、表示パネル１０６、メモリカードＩ／Ｆ部１０７、撮像部１１０、記憶部１２０、操作入力部１３０が配置されている。
【００１０】
ボディＣＰＵ１００は、レンズ鏡筒２０が装着されたカメラ１全体の動作を制御する回路であり、マイクロプロセッサにより構成されている。ボディＣＰＵ１００は、焦点検出部１０２で検出されたデフォーカス量に基づいてレンズ駆動量を演算し、後述のレンズＣＰＵ２００へ送信する。またボディＣＰＵ１００は、後述の測光部１０１で取得された被写体の測光情報や、レンズ装着時にレンズＣＰＵ２００から送信されたレンズの種類、開放Ｆ値、焦点距離などのレンズ情報のほか、図示しない感度設定部からの感度情報などに基づいて適正な露出値を演算する。そして、その露出値に応じた絞り値とシャッタスピード値を選択し、絞り値をレンズＣＰＵ２００へ、シャッタスピード値をシャッタ制御部１０４へそれぞれ送信する。また、ボディＣＰＵ１００は、基本的な表示制御として、撮像部１１０で撮像された被写体像の静止画像（以下、撮影画像）、又は撮像部１１０で撮像された被写体像の動画像（以下、スルー画像）を、後述する液晶モニタ１０５の表示画面に表示させる処理を実行する。
【００１１】
また、ボディＣＰＵ１００は、本実施形態に特徴的な撮影モードであるトリミング撮影モードが設定された場合に、以下に述べる第１〜第４表示制御手段としての処理を実行する。
【００１２】
すなわち、本実施形態のボディＣＰＵ１００は、撮影画像と、大きさと位置が可変なフレーム枠とを同時に液晶モニタ１０５の表示画面に表示させる第１表示制御手段としての処理を実行する。
【００１３】
また、本実施形態のボディＣＰＵ１００は、操作入力手段であるメインダイアル１３３及びセレクタダイアル１３５で取得した操作入力に従って、フレーム枠の大きさと位置を調節する第２表示制御手段としての処理を実行する。
【００１４】
また、ボディＣＰＵ１００は、第２表示制御手段としての処理において、後述するレンズＣＰＵ２００から送信されたレンズ２１０の焦点距離に基づいて、液晶モニタ１０５の表示画面に表示するフレーム枠の大きさを制限する処理を実行する。また、ボディＣＰＵ１００は、第２表示制御手段としての処理において、レンズ２１０の焦点距離に基づいて、液晶モニタ１０５の表示画面に表示するフレーム枠の近傍にレンズ２１０の焦点距離を表示する処理を実行する。
【００１５】
また、本実施形態のボディＣＰＵ１００は、第２表示制御手段の処理により調節されたフレーム枠の大きさと位置に対応する撮影画像の一部を選択画像として記憶手段であるＤＲＡＭ１２３に記憶する第３表示制御手段としての処理を実行する。
【００１６】
さらに、本実施形態のボディＣＰＵ１００は、スルー画像と、記憶手段であるＤＲＡＭ１２３に記憶している選択画像を表示画面と同じサイズに拡大した画像とを同時に液晶モニタ１０５の表示画面に表示させる第４表示制御手段としての処理を実行する。また、ボディＣＰＵ１００は、第４表示制御手段としての処理において、操作入力手段であるレリーズボタン１３２が半押しされることにより、液晶モニタ１０５の表示画面にスルー画像と同時に表示している選択画像を消去する処理を実行する。また、ボディＣＰＵ１００は、第４表示制御手段としての処理において、液晶モニタ１０５の表示画面に同時に表示するスルー画像と選択画像のうち、選択画像の彩度を基準となる彩度よりも低下させる処理を実行する。ただし、彩度を低下させるのはスルー画像であってもよいし、スルー画像と選択画像の両方の彩度を低下させるようにしてもよい。
【００１７】
測光部１０１は、小型のＣＣＤやＣＭＯＳなどのカラーイメージセンサにより構成された基板回路である。測光部１０１は、ユーザによりレリーズボタン１３２が半押しされることで測光を開始し、図示しないファインダスクリーン上に結像している被写体の輝度に関する情報（測光情報）を検出する。この測光情報はボディＣＰＵ１００へ送信され、露出演算のほか、ストロボ調光、ホワイトバランスの制御などに用いられる。
【００１８】
焦点検出部１０２は、入射した被写体光に基づいて、例えば位相差検出方式を用いて、デフォーカス情報を検出する。本実施形態では、図示しない画面内の複数の測距エリアに対する被写体の合焦位置を検出して、そのときのデフォーカス量をデフォーカス情報としてボディＣＰＵ１００へ送信する。
【００１９】
シャッタユニット１０３は、撮像部１１０の被写体方向前側に配置され、図示しないシャッタ羽根を駆動（開閉）することにより、撮像素子１１１に被写体光を露光させるものである。
【００２０】
シャッタ制御部１０４は、シャッタユニット１０３を駆動させる部分であり、ボディＣＰＵ１００により動作が制御されている。すなわち、ユーザがレリーズボタン１３２を指などで押し下げると、ボディＣＰＵ１００によりシャッタ制御部１０４が制御され、シャッタユニット１０３が駆動される。これにより、被写体像が撮影画像として撮像部１１０に取り込まれることになる。レリーズボタン１３２には、半押しと全押しの２通りの操作状態がある。ユーザがレリーズボタン１３２を半押しすると、露出制御のための測光と、焦点調節のための測距及びレンズ駆動が行われて、露出値と焦点位置が決定される。そして、ユーザがレリーズボタン１３２を全押しすると、その時点で撮像された被写体像の撮像画像が取り込まれて、後述するメモリカード１０８に記録される。なお、上述した露出制御や焦点調節の手順は一例を示したものであり、これの例に限定されるものではない。
【００２１】
撮像部１１０は、撮像素子１１１と画像処理部１１２とから構成されている。撮像素子１１１は、平面的に配置された複数の固体撮像素子により構成されている。レンズ２１０により結像された被写体像は固体撮像素子の受光面で受光され、アナログの画像信号として出力される。この画像信号はＤＲＡＭ１２３に一時的に記憶される。画像処理部１１２は、ＤＲＡＭ１２３に記憶されている画像信号に対し、ノイズ除去、Ａ／Ｄ変換、色補間処理、サイズ変更、符号化などの、アナログ及びデジタルの画像処理を行い、最終的な画像データを作成する。
【００２２】
液晶モニタ１０５は、カメラボディ１０の背面に配置されたカラーの液晶ディスプレイである。この液晶モニタ１０５には、撮影モード、絞り値、シャッタスピードなどの撮影情報や、メニュー画面、モード設定画面のほか、撮影画像、スルー画像などが表示される。
【００２３】
表示パネル１０６は、カメラボディ１０の上面に配置された白黒の液晶パネルである。この表示パネル１０６には、おもに撮影モード、絞り値、シャッタスピードなどの撮影情報が表示される。
【００２４】
上記液晶モニタ１０５、表示パネル１０６における画像データや情報画面の表示は、図示しない表示制御回路により制御されている。
【００２５】
記憶部１２０は、ＶＲＡＭ１２１、ＥＥＰＲＯＭ１２２、ＤＲＡＭ１２３、ＲＯＭ１２４から構成されている。
【００２６】
ＶＲＡＭ１２１は、液晶モニタ１０５に表示する画像データを一時的に保持するメモリであり、上述した撮影画像、スルー画像の画像データが保持される。
【００２７】
ＥＥＰＲＯＭ１２２は、カメラ１の電源がオフしても記憶した情報を保持する不揮発性メモリであり、ユーザ設定やカスタム設定などの入力情報が記憶される。
【００２８】
ＤＲＡＭ１２３は、カメラ１の電源がオフしたときに記憶した情報が消去される揮発性メモリである。ここには、画像処理部１１２により画像処理された画像信号や、この画像処理により得られた最終的な画像データのほか、ボディＣＰＵ１００などが処理を行う際に必要なデータなどが記憶される。また、ＤＲＡＭ１２３には、上述したボディＣＰＵ１００の第２表示制御手段としての処理により調節されたフレーム枠の大きさと位置に対応する撮影画像の一部が選択画像として記憶される。
【００２９】
ＲＯＭ１２４は、カメラ１の動作や制御に必要なプログラムのほか、このプログラムの実行に必要な初期値や設定値などが記憶される。
【００３０】
操作入力部１３０は、ユーザにより操作される複数の操作入力手段により構成されている。ここで、操作入力部１３０の具体例について説明する。図２は、カメラ１を背面側から見たときの斜視図である。カメラ１の上面には、撮影モードなどを選択可能なモードダイアル１３１、ポップアップ式の閃光装置（ストロボ）１１、表示パネル１０６、レリーズボタン１３２が配置されている。また、カメラ１を背面から見たときに、右側にはユーザが撮影時にカメラ１を保持する際に使用するグリップ１２が設けられている。
【００３１】
一方、カメラ１の背面であって、グリップ１２の近傍には、メインダイアル１３３が配置されている。また、カメラ１の前面側であって、グリップ１２の近傍には、サブダイアル１３４が配置されている。これらのダイアルは、主に露出モードの設定や、絞り値、シャッタスピード、露出補正値などを入力するためのダイアルであるが、図示しない他のボタンとの組み合わせで各種機能の設定が可能となる。また、本実施形態におけるメインダイアル１３３は、後述するトリミング画像モードにおいてフレーム枠の大きさを調節するための操作入力手段として機能する。
【００３２】
さらに、カメラ１の背面には液晶モニタ１０５が配置されている。この液晶モニタ１０５の上部にはファインダ接眼部１３が配置され、右側にはセレクタダイアル１３５が配置されている。セレクタダイアル１３５は、上下左右の４方向と中央に図示しない電気接点を持つスイッチである。ユーザが上下左右に刻印されている矢印マーク１３５ａを指で押すと、その矢印マーク１３５ａの方向が選択方向として入力される。また、中央に配置されたＯＫボタン１３５ｂが押下されると、その時点での選択内容で決定したことが入力される。このセレクタダイアル１３５は、主に液晶モニタ１０５や表示パネル１０６などに表示された撮影条件などの変更操作や、メニュー項目、撮影済み画像の変更操作などに用いられる。本実施形態におけるセレクタダイアル１３５は、トリミング画像モードにおいてフレーム枠の位置を調節するための操作入力手段として機能する。
【００３３】
上述したモードダイアル１３１、レリーズボタン１３２、メインダイアル１３３、サブダイアル１３４、セレクタダイアル１３５は、本実施形態における操作入力部１３０として機能する。ただし、操作入力部１３０はこれに限らず、他のダイアル、スイッチ、レバーにより構成されるものであってもよい。
【００３４】
再び図１に戻って説明する。メモリカードＩ／Ｆ（インターフェース）部１０７は、ＶＲＡＭ１２１に記憶されている画像データをメモリカード１０８に記録し、またメモリカード１０８に記録されている画像データを読み出す機能を備えた書き込み／読み出し装置である。このメモリカードＩ／Ｆ部１０７の図示しないメモリカードスロットには、規格に対応したメモリカード１０８が着脱自在に装着される。
なお、カメラボディ１０の内部には、図示しないバッテリー装置から出力された電力を各部の作動状況に応じて供給する図示しない電源回路部が設けられている。
【００３５】
次に、レンズ鏡筒２０の構成について説明する。レンズ鏡筒２０の内部には、レンズＣＰＵ２００、レンズ２１０、焦点調節機構２２０、レンズ内モータドライバ２３０、レンズ内モータ２４０、絞り制御部２６０が配置されている。
【００３６】
レンズＣＰＵ２００は、主に焦点調節機構２２０によるレンズ駆動と、絞りユニット２５０による絞り羽根の開閉を制御する回路であり、マイクロプロセッサにより構成されている。すなわち、焦点調節機構２２０によるレンズ駆動では、レンズＣＰＵ２００がボディＣＰＵ１００から送信されたレンズ駆動量に基づいてレンズ内モータドライバ２３０を制御してレンズ内モータ２４０を駆動することにより、焦点調節機構２２０が駆動される。これにより、レンズ２１０の焦点調節用レンズ群２１０ａが焦点位置までレンズ駆動される。また、絞りユニット２５０による絞り羽根の開閉では、レンズＣＰＵ２００がボディＣＰＵ１００から送信された絞り値に基づいて絞り制御部２６０を制御することにより、絞りユニット２５０において絞り羽根の開閉が制御される。これにより、被写体光の通過領域として、ボディＣＰＵ１００から送信された絞り値と対応する大きさの通過領域が形成されることになる。
【００３７】
さらに、レンズＣＰＵ２００は、レンズ鏡筒２０がカメラボディ１０へ装着された時に、図示しない内部メモリに記憶しているレンズの種類、開放Ｆ値、焦点距離などのレンズ情報を、カメラボディ１０のボディＣＰＵ１００に送信する。
【００３８】
レンズ２１０は、入射した被写体光を屈折させて、射出側となるカメラボディ１０の撮像部１１０の受光面に被写体像を結像する光学部材である。本実施形態のレンズ２１０は、一部のレンズを光軸方向に移動することにより焦点距離が可変なズームレンズとして構成されている。このレンズ２１０の一部のレンズは焦点調節用レンズ群２１０ａとして機能し、また一部のレンズは焦点距離可変レンズ群２１０ｂとして機能する。図１では、これらのレンズ群を模式的に示している。また、本実施形態のレンズ２１０は、焦点距離が７０〜２００ｍｍまで可変なズームレンズを例とする。
【００３９】
焦点調節機構２２０は、焦点調節用レンズ群２１０ａをレンズ２１０の光軸方向に移動させることにより、レンズ２１０の焦点位置調節を行う部分である。この焦点調節機構２２０は、レンズ内モータ２４０により駆動される。なお、レンズ２１０が光軸方向に移動したときの焦点位置に関する情報は図示しない距離検出部により検出され、レンズＣＰＵ２００に送信される。なお、焦点調節用レンズ群２１０ａは、図示しない切り替えスイッチの操作により、レンズ鏡筒２０の外周部に設けられた焦点調節リング２２（図２参照）と連結される。この場合は、ユーザが焦点調節リング２２を操作することにより焦点位置調節が可能となる。
【００４０】
レンズ内モータ２４０は、焦点調節機構２２０を駆動するための駆動力を発生する駆動源であり、例えばＤＣモータにより構成されている。レンズ内モータドライバ２３０は、レンズ内モータ２４０を駆動するための駆動回路であり、レンズＣＰＵ２００により制御される。
【００４１】
焦点距離可変レンズ群２１０ｂは、レンズ鏡筒２０の外周部に設けられたズームリング２３（図２参照）と機械的に連結されている。ユーザがズームリング２３を操作すると、このズームリング２３と連動する図示しないカム筒が移動し、このカム筒と係合する図示しないカム軸と連結された焦点距離可変レンズ群２１０ｂがレンズ２１０の光軸方向に移動して、レンズ２１０の焦点距離が広角側から望遠側までの間で無段階に可変する。このように、焦点距離可変レンズ群２１０ｂ、ズームリング２３、及び上記カム筒、カム軸などの部材により構成されるズーム機構は、本実施形態における焦点距離可変手段として機能する。
【００４２】
絞りユニット２５０は、所定の絞り値に応じて図示しない複数枚の絞り羽根を開閉することにより、被写体光の通過領域を形成する。この絞りユニット２５０における絞り羽根の開閉動作は絞り制御部２６０により駆動される。
【００４３】
レンズ鏡筒２０とカメラボディ１０との間は、マウント部２１により接合されている。具体的には、マウント部２１は、カメラボディ１０に設けられた図示しないボディ側マウントと、レンズ鏡筒２０に設けられた図示しないレンズ側マウントとで構成され、双方のマウントを係合させることによりカメラボディ１０とレンズ鏡筒２０とを連結することができる。図１では、ボディ側マウントとレンズ側マウントとを連結した構成をマウント部２１として示している。
【００４４】
なお、各マウントの周囲には、図示しない通信用接点のほか、電源接点が設けられている。通信用接点は、ボディ側マウントに設けられた複数の電気接点と、レンズ側マウントに設けられた複数の電気接点とで構成される。ボディ側マウントとレンズ側マウントとを係合させると、双方の電極接点が各々接触する。これにより双方の電極接点同士が電気的に導通し、ボディＣＰＵ１００とレンズＣＰＵ２００との間での電気信号による通信が可能となる。同様に、ボディ側マウントに設けられた電気接点と、レンズ側マウントに設けられた電気接点とにより、図示しない電源接点が構成されている。この電源接点を介して、カメラボディ１０内に設けられた図示しない電源回路部からの電力がレンズ鏡筒２０側に供給される。
【００４５】
次に、上記カメラ１において、撮影画像に対してトリミング撮影モードが設定されたときの処理手順を図３のフローチャート、及び図４〜図９を参照しながら説明する。以下に示すトリミング撮影モードのルーチンは、ユーザが撮影画像を液晶モニタ１０５に表示した後、モードダイアル１３１を操作してトリミング撮影モードを設定することによりスタートする。
【００４６】
まず、ステップＳ１０１において、ボディＣＰＵ１００（第１表示制御手段）は、撮影画像と、大きさと位置が可変なフレーム枠とを同時に表示させる。ここで、撮影画像とフレーム枠について説明する。図４（ａ）、（ｂ）は、液晶モニタ１０５に表示された撮影画像とフレーム枠の表示例を示す説明図である。図４（ａ）は、広角側の７０ｍｍで撮影された撮影画像を、液晶モニタ１０５の表示画面３００に表示した例を示している。このように、液晶モニタ１０５に撮影画像が表示した後、ユーザによりトリミング撮影モードが設定されると、図４（ｂ）に示すように、表示画面３００上に撮影画像とフレーム枠３０１とが同時に表示される。
【００４７】
なお、最初に表示するフレーム枠３０１の大きさは、レンズ２１０のほぼ中間域の画角とする。例えば、本実施形態のレンズ２１０は７０〜２００ｍｍまで焦点距離が可変なズームレンズであるため、ほぼ１３５ｍｍ付近の撮影範囲を示す大きさとする。また、フレーム枠３０１の位置は表示画面３００の中央とする。ただし、最初に表示するフレーム枠３０１の大きさや位置はユーザに分かりやすく表示されていればよく、この例に限定されるものではない。
【００４８】
ステップＳ１０２において、ユーザによりメインダイアル１３３が操作されると、ボディＣＰＵ１００（第２表示制御手段）は、メインダイアル１３３の回転方向と回転量とに基づいて、フレーム枠３０１の大きさを調節する。図５（ａ）、（ｂ）は、フレーム枠の大きさを調節したときの表示例を示す説明図である。例えば、メインダイアル１３３が右方向に回されたときには望遠側にシフトし、左方向に回されたときには広角側にシフトするように設定されているとする。この場合、ユーザがメインダイアル１３３を右方向に回すと、図５（ａ）に示すように、フレーム枠３０１は小さくなり、左方向に回すと、図５（ｂ）に示すように、フレーム枠３０１は大きくなる。
【００４９】
なお、フレーム枠３０１の大きさを調節する際に、ボディＣＰＵ１００（第２表示制御手段）は、レンズ鏡筒２０のレンズＣＰＵ２００から送信されたレンズ２１０の焦点距離に基づいて、液晶モニタ１０５の表示画面３００に表示するフレーム枠３０１の大きさを制限するようにしている。すなわち、本実施形態のレンズ２１０は７０〜２００ｍｍまで焦点距離が可変なズームレンズであるため、広角側は７０ｍｍまで、望遠側は２００ｍｍまでの範囲でフレーム枠３０１の大きさが調整される。したがって、７０〜２００ｍｍの範囲を超えてメインダイアル１３３が回されても、フレーム枠３０１の大きさは変化しないことになる。
【００５０】
また、ボディＣＰＵ１００は、第２表示制御手段としての処理において、レンズ鏡筒２０のレンズＣＰＵ２００から送信されたレンズ２１０の焦点距離に基づいて、液晶モニタ１０５の表示画面に表示するフレーム枠の近傍に、その時点におけるレンズ２１０の焦点距離を表示するようにしている。すなわち、本実施形態のレンズ２１０は７０〜２００ｍｍまで焦点距離が可変なズームレンズであるため、メインダイアル１３３の回転方向と回転量とに応じて、例えば７０ｍｍ、８５ｍｍ、１０５ｍｍ、１３５ｍｍ、１８０ｍｍ、２００ｍｍの６段階で焦点距離の数値を表示する。図５（ａ）では、２００ｍｍ、図５（ｂ）では８５ｍｍの焦点距離が焦点距離マーク３０２として表示されている。ただし、焦点距離の表示は本例のように段階的でなく、無段階に表示するようにしてもよい。
【００５１】
さらに、７０〜２００ｍｍの範囲を超えてメインダイアル１３３が回されたときは、光学側の７０ｍｍ、望遠側の２００ｍｍにおいて、それぞれ焦点距離マーク３０２を点滅表示するようにしてもよいし、またブザー音などで警告を発するようにしてもよい。
また、ステップＳ１０３において、ユーザによりセレクタダイアル１３５が操作されると、ボディＣＰＵ１００（第２表示制御手段）は、セレクタダイアル１３５の押された位置に基づいて、フレーム枠３０１の位置を調節する。
【００５２】
図６は、フレーム枠の位置を調節したときの表示例を示す説明図である。セレクタダイアル１３５（図２参照）に刻印された矢印マーク１３５ａをユーザが指で押すと、その矢印マーク１３５ａの示す方向にフレーム枠３０１が移動する。図６では、表示画面３００の中央にあるフレーム枠３０１を上下左右に移動したときのすべての表示例を示している。
【００５３】
なお、図３のフローチャートでは、ステップ１０２においてフレーム枠３０１の大きさを調節し、次のステップＳ１０３でフレーム枠３０１の位置を調節するようにしているが、この処理手順に限定されるものではない。すなわち、フレーム枠３０１の大きさと位置の調整は、本実施形態と反対の手順で行うようにしてもよいし、交互に複数回行うようにしてもよい。
【００５４】
ステップＳ１０４において、ボディＣＰＵ１００は、セレクタダイアル１３５のＯＫボタン１３５ｂが押下されたかを判定する。この判定でＮｏであればステップＳ１０２へリターンし、ＹｅｓであればステップＳ１０５へ進む。ここでは、図７（ａ）に示すようなフレーム枠３０１の大きさと位置でＯＫボタン１３５ｂが押下されたものとする。
【００５５】
ステップ１０５において、ボディＣＰＵ１００（第３表示制御手段）は、調節されたフレーム枠３０１の大きさと位置に対応する撮影画像の一部を選択画像としてＤＲＡＭ１２３に記憶する。ここでは、図７（ｂ）に示すような選択画像３０３が記憶されることになる。
【００５６】
ステップＳ１０６において、ボディＣＰＵ１００は、液晶モニタ１０５によるスルー画像の表示、すなわちライブビュー表示への切り替えを行う。続く、ステップＳ１０７において、ボディＣＰＵ１００（第４表示制御手段）は、液晶モニタ１０５の表示画面３００に、スルー画像と、ＤＲＡＭ１２３に記憶している選択画像を表示画面３００と同じサイズに拡大した画像とを同時に表示させる。
【００５７】
図８（ａ）、（ｂ）は、スルー画像と選択画像とを同時に表示したときの表示例を示す説明図である。図８（ａ）は、液晶モニタ１０５に最初に表示される画像を示している。同図において、破線で示す部分が選択画像３０３、実線で示す部分がスルー画像３０４である。ユーザは、この表示画面３００を見ながらズームリング２３（図２参照）を操作して焦点距離の調節を行うとともに、必要に応じてカメラ１を上下左右に移動させることにより、図８（ｂ）に示すように、スルー画像３０４が選択画像３０３と同じ画角となるように調節する。
【００５８】
そして、ステップＳ１０８において、レリーズボタン１３２の半押しが検知されると、ステップＳ１０９において、ボディＣＰＵ１００は、表示画面３００に表示している選択画像３０３を消去する。次に、ステップＳ１１０において、ボディＣＰＵ１００は、撮像部１１０により撮像された被写体の画像データに基づいて露出制御のための測光を行うとともに、同じ画像データに基づいて焦点位置調節のための測距（及びレンズ駆動）を行う。
【００５９】
さらに、ステップＳ１１１において、レリーズボタン１３２の全押しが検知されると、ステップＳ１１２において、ボディＣＰＵ１００は、撮像処理として、その時点で撮像された被写体像の画像データの読み込みを実行する。この結果、図９に示すような撮影画像が得られることになる。その後、ステップＳ１１３において、ボディＣＰＵ１００は、記録処理として、読み込んだ画像データをメモリカード１０８に記録し、本ルーチンの処理を終了する。
上記実施形態によれば、以下の効果を奏する。
（１）スルー画像と選択画像とを同時に表示するようにしたので、ユーザは選択画像に合わせてスルー画像の画角を調節するだけでよく、撮影画像を見ながら画角を調整して何度も構図を確認する場合に比べて、撮影画像の中から所望の構図の画像を容易に抜き出すことができる。
（２）操作入力手段であるレリーズボタンが半押しされることにより、液晶モニタにスルー画像と同時に表示している選択画像を消去するようにしたので、ユーザは最終的な画像の確認を容易に行うことができる。
（３）レンズの焦点距離に基づいて、液晶モニタの表示画面に表示するフレーム枠の大きさを制限するようにしたので、ユーザはレンズの焦点距離を意識することなく、トリミングできる画像の範囲を容易に認識することができる。
（４）レンズの焦点距離に基づいて、液晶モニタの表示画面に表示するフレーム枠の近傍にレンズの焦点距離を表示するようにしたので、ユーザは調節しているレンズの焦点距離とその画角を容易に認識することができる。
（５）液晶モニタに同時に表示するスルー画像と選択画像のうちの少なくとも一方の彩度を基準となる彩度よりも低下させるようにしたので、液晶モニタに表示された２つの画像をより見やすくすることができる。
（変形形態）
【００６０】
以上説明した実施形態に限定されることなく、本発明は以下に示すような種々の変形や変更が可能であり、それらも本発明の範囲内である。
上記実施形態では、レンズ内モータを有するレンズ鏡筒をカメラボディに装着した例について示したが、レンズ鏡筒はボディ駆動タイプのレンズであってもよい。また、ズームリングを手動により操作するものに限らず、いわゆる電動ズームが組み込まれたレンズ鏡筒であってもよい。
【００６１】
電動ズームを組み込んだ場合において、フレーム枠の大きさと位置とが決定された後、フレーム枠の大きさに応じた画角となるように自動的に焦点距離可変レンズ群を駆動するようにしてもよい。この場合は、ユーザがズームリングを操作する必要がなく、構図の微調整をするだけで所望の撮影画像を得ることができる。
また、撮影時に画角を広角側と望遠側にそれぞれシフトした画像を複数枚連写するようにしてもよい。この場合は、ユーザが所望する構図の画像に加えて、画角の少し異なる画像も自動的に撮影されるので、ユーザは撮影後に最もイメージに近い画像を選択することができる。
【００６２】
また、上記実施形態では、本発明をレンズ交換式のデジタルカメラに適用した例について示したが、少なくともズームレンズと液晶モニタを備えていればよく、例えば、高倍率ズームレンズがカメラボディと一体に組み込まれたデジタルカメラにも適用可能である。
【００６３】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【図面の簡単な説明】
【００６４】
【図１】実施形態に係わるカメラの構成を示すブロック図である。
【図２】カメラを背面側から見たときの斜視図である。
【図３】撮影画像に対してトリミング撮影モードが設定されたときの処理手順を示すフローチャートである。
【図４】（ａ）、（ｂ）は液晶モニタに表示された撮影画像とフレーム枠の表示例を示す説明図である。
【図５】（ａ）、（ｂ）はフレーム枠の大きさを調節したときの表示例を示す説明図である。
【図６】フレーム枠の位置を調節したときの表示例を示す説明図である。
【図７】（ａ）、（ｂ）はＯＫボタンが押下されたときのフレーム枠と選択画像の表示例を示す説明図である。
【図８】（ａ）、（ｂ）はスルー画像と選択画像とを同時に表示したときの表示例を示す説明図である。
【図９】トリミング撮影モードにより撮影された画像の表示例を示す説明図である。
【符号の説明】
【００６５】
１：カメラ、１０：カメラボディ、２０：レンズ鏡筒、２３：ズームリング、１００：ボディＣＰＵ、１０５：液晶モニタ、１１０：撮像部、１２０：記憶部、１３０：操作入力部、２００：レンズＣＰＵ、２１０：レンズ
【図１】
2010093413.tif 000003
【図２】
2010093413.tif 000004
【図３】
2010093413.tif 000005
【図４】
2010093413.tif 000006
【図５】
2010093413.tif 000007
【図６】
2010093413.tif 000008
【図７】
2010093413.tif 000009
【図８】
2010093413.tif 000010
【図９】
2010093413.tif 000011